(57)【特許請求の範囲】
【請求項１】
立上がり躯体の頂部へホルダを固定し、このホルダに笠木を支持させる構成の笠木装置において、
上記立上がり躯体の頂部を覆う笠木の主部から、立上がり躯体の内側から外側に張り出す張出化粧部を連設し、張出化粧部の下側には化粧裏板を添設するとともに、
上記化粧裏板の基部を上記ホルダの端部に連設した固定片と、その上に重ねた可動片に挟持して立上がり躯体の頂部へ固着し、先端には笠木の張出化粧部の先端に嵌合する嵌合部を形成し、
上記笠木の一側を上記ホルダに係止させ、他側を上記化粧裏板に対して嵌合させて取りつけたことを特徴とする笠木装置。
【請求項２】
立上がり躯体の頂部へホルダを固定し、このホルダに笠木を支持させる構成の笠木装置において、上記立上がり躯体の頂部を覆う笠木の主部から、立上がり躯体の外側に張り出す張出化粧部を連設し、張出化粧部の下側には化粧裏板を添設するとともに、上記化粧裏板の基部は、上記ホルダを連設して立上がり躯体の頂部へ直接固着し、先端には笠木の張出化粧部の先端と嵌合する嵌合縁を形成し、上記笠木の一側を上記ホルダに係合させ、他側を上記化粧裏板へ嵌合して取りつけたことを特徴とする笠木装置。
【発明の詳細な説明】
【０００１】
【発明の属する技術分野】
本発明は、立上がり躯体の頂部の化粧と防水を行う笠木装置に関する。
【０００２】
【従来技術】
従来の笠木装置は、パラペット部の頂部へ受具を取り付け、この受具へ笠木キャップより垂下した一対の側板の突起片を、上記側板の弾性変形により係合させて笠木キャップをパラペットへ取り付け、この笠木キャップにパラペットより外側へ張り出す延設部を設けるようにしている（例えば、特許文献１参照）。
【０００３】
【特許文献１】
実開平６−７１６８６号公報（第１頁、図１）
【０００４】
しかしながら、上記構造の笠木装置は、パラペットへ強風が当たって延設部へ向かって吹き上げると、側板の突起片が受具より外れて笠木キャップが吹き飛ばされ易くて、しかも、笠木の延設部は板構造であるために意匠的価値に乏しいという問題点がある。
【０００５】
【発明が解決しようとする課題】
本発明は前記問題点を解消し、強風にも吹き飛ばされない安全性と、高い意匠的価値とを有して、しかも、施工が容易な笠木装置を提供することをその課題とする。
【０００６】
【課題を解決するための手段】
前記課題を解決するため請求項１に係る発明は、立上がり躯体の頂部へホルダを固定し、このホルダに笠木を支持させる構成の笠木装置において、上記立上がり躯体の頂部を覆う笠木の主部から、立上がり躯体の内側から外側に張り出す張出化粧部を連設し、張出化粧部の下側には化粧裏板を添設するとともに、上記化粧裏板の基部を上記ホルダの端部に連設した固定片と、その上に重ねた可動片に挟持して立上がり躯体の頂部へ固着し、先端には笠木の張出化粧部の先端に嵌合する嵌合部を形成し、上記笠木の一側を上記ホルダに係止させ、他側を上記化粧裏板に対して嵌合させて取りつけたことを特徴とする。
【０００７】
請求項２に係る発明は、立上がり躯体の頂部へホルダを固定し、このホルダに笠木を支持させる構成の笠木装置において、上記立上がり躯体の頂部を覆う笠木の主部から、立上がり躯体の外側に張り出す張出化粧部を連設し、張出化粧部の下側には化粧裏板を添設するとともに、上記化粧裏板の基部は、上記ホルダを連設して立上がり躯体の頂部へ直接固着し、先端には笠木の張出化粧部の先端と嵌合する嵌合縁を形成し、上記笠木の一側を上記ホルダに係合させ、他側を上記化粧裏板へ嵌合して取りつけたことを特徴とする。
【０００８】
【発明の実施の形態】
以下に本発明に係る笠木装置の実施形態を図面に付いて説明する。
【０００９】
図１〜図６は、第１の実施形態を示すものであり、この実施形態において符号１は笠木装置を示す。この笠木装置１は、立上がり躯体２の頂部へホルダ３を固定し、このホルダ３に笠木４を支持させた構成である。
【００１０】
上記笠木装置１における立上がり躯体２は、建物の屋上、廊下等に設けられるパラペットやこれに類した躯体であり、コンクリート、木材、金属、その他の建築用材により所要の形状に形成して、図１に示す通り頂部と内側面には防水層５を設け、外側面にはタイル、その他で表面化粧６を施す。そして、コンクリート製の場合は、後記ネジを締め込む部分にアンカープラグ７を埋め込む。
【００１１】
ホルダ３は、立上がり躯体２の頂部へネジ８により固定して、外端側に図１に示す通り斜め下方に垂下する係止片９を設け、外端側には後記挟持手段を構成する固定片１０を連接したものであり、このホルダ３はアルミニウムかその合金の押出成形あるいは鋼材のプレス加工等で形成する。
【００１２】
笠木４は、立上がり躯体２の頂部を覆う主部４ａに、図２に示す通り立上がり躯体２の外側に大きく張り出す張出化粧部４ｂを連設したものであって、主部４ａの内側端には、ホルダ３の係止片９に先端の屈曲部１１を弾性変形で係止させる係止片１２を設け、張出化粧部４ｂの先端には下側への曲返しにより後記化粧裏板の嵌合部と噛み合い嵌合させる溝型の嵌合縁１３を設けたものであって、上記ホルダ３と同様の材料、工法で製造される。
【００１３】
化粧裏板１４は、図３に示す通り、基部に後記挟持手段による挟み部１５を形成し、この挟み部１５より外側の上側に隆起部１６を設け、下側に水切片１７を垂下させる。そして、先端には笠木４の張出化粧部４ｂの先端（外側端）に設けた溝型の嵌合縁１３と噛み合い嵌合する嵌合部１８が形成されている。嵌合部１８は嵌合縁１３と嵌合したとき、嵌合縁１３の下面が化粧裏板１４と面一となるように、逆Ｌ字型部１９で形成したものであり、この化粧裏板１４は、上記ホルダ３と同様の材料、工法で製造されるが、ホルダ３が短尺であるのに対し、化粧裏板１４は長尺である。
【００１４】
可動片２２は、図４に示す通り、板状部材を屈曲させた形状をなしており、基端に固定片１０の受溝２４に回動可能に係合する円形部分２３が形成され、先端には操作可能なつまみ部が形成され、この先端つまみ部の近傍には化粧裏板１４の隆起部１６が収まる凹部２１が形成されている。そして、可動片２２のやや基端寄りの中央近傍をネジ２５が貫通しており、このネジ２５を介して可動片２２は基端の円形部分２３を支点として所定量の上下回動を許容する状態で取り付け支持されている。
【００１５】
化粧裏板１４の基部は挟持手段２０によって挟持されている。挟持手段２０は、ホルダ３に連設した固定片１０の上に、化粧裏板１４の隆起部１６が収まる凹部２１を形成した図４に示した可動片２２を重ね、この可動片２２の基端に設けた円形部分２３を固定片１０に設けた受溝２４に係合させる。そして、可動片２２に締結手段であるネジ２５を通して固定板１０へ締め込むことにより、化粧裏板１４の挟み部１５を挟持させるものである。
【００１６】
上記第１の実施形態は、ホルダ３を図４に示す通り立上がり躯体２の頂部へ乗せて、ホルダ３にネジ８を通しアンカープラグ７へ締め込むと、ホルダ３は立上がり躯体２の頂部へ固定される。
【００１７】
ホルダ３が立上がり躯体２の頂部へ固定されたら、これに連設した固定片１０の上へ可動片２２を重ねて、ネジ２５により固定片１０へ仮止めする。そして、図４に示す通り可動片２２の先端側を引き上げ、可動片２２と固定片１０との間へ化粧裏板１４の挟み部１５を挿し入れる。
【００１８】
挟み部１５の挿し入れに伴い隆起部１６が可動片２２の凹部２１の下に達したとき、図５に示す通り可動片２２を挟み部１５の上へ降ろし、ネジ２５を締め込むと、可動片２２と固定片１０とで挟み部１５が挟持されるため、化粧裏板１４はホルダ３によって立上がり躯体２へ強固に固定される。
【００１９】
化粧裏板１４が固定されたら、その先端に設けた嵌合部１８へ図６に示すように、笠木４の主部４ａに連接されている張出化粧部４ｂの先端に設けた溝型の嵌合縁１３を嵌合させる。そして、笠木４を嵌合部１８を中心として図６に実線で示す位置から鎖線で示す位置へ回動させると、笠木４の係止片１２は弾性変形して先端に設けた屈曲部１１がホルダ３の係止片９に係止するので、笠木４は強い風圧を受ける張出化粧部４ｂ側が固定の状態で簡単に立上がり躯体２へ取り付けられる。
【００２０】
次に、図７〜図９は、第２の実施形態を示すものである。この実施形態に符号１で示す笠木装置１も、立上がり躯体２の頂部へホルダ３を固定し、このホルダ３に笠木４を支持させた構成である。
【００２１】
上記実施形態における笠木装置１における立上がり躯体２は、実施形態１の立上がり躯体２と同様に構成される。
【００２２】
ホルダ３は、立上がり躯体２の厚さの２／３程度を覆う巾に形成して、立上がり躯体２の頂部へネジ８により直接に固定されている。そして、外端側に斜め下方に垂下する係止片９を設け、内端側には笠木４の中間部分の裏面に当るＴ字型の支持片２６を立ち上がらせてある。
【００２３】
笠木４は、立上がり躯体２の頂部を覆う主部４ａに、立上がり躯体２の外側に大きく張り出す張出化粧部４ｂを連設したものであり、主部４ａの内端側には、ホルダ３の係止片９の先端へ係合子２７を弾性変形で係止させる係止片１２を設け、張出化粧部４ｂの先端には下側への折り曲げにより、化粧裏板１４の後記嵌合部と噛み合い嵌合させる逆Ｌ字型の嵌合部１８を設けてある。
【００２４】
上記係止片１２の先端に設ける係合子２７は、水平移動によってホルダ３の係止片１２へ係合させる。このため、図８に示す通り上面を斜面２８の後側に段部２９が存在する形状として、この係合子２７を係合片９の先端を内側へ曲げ返して形成した溝型の受部３０へ納まらせてある。
【００２５】
化粧裏板１４は、基部側に立上がり躯体２の頂部の厚さの１／３程度の巾を有する基部３０を連設して、この基部３０をネジ８で立上がり躯体２の頂部へ取り付け、先端には上方への曲げ返しにより溝型の嵌合縁１３を形成して、笠木４の張出化粧部４ｂの先端上側に折り曲げで設けた逆Ｌ字型の嵌合部１８と嵌合させるようにする。
【００２６】
上記第２の実施形態に示す笠木装置４は、ホルダ３と化粧裏板１４の基部３０とにネジ８を通して、立上がり躯体２へ埋め込んだアンカープラグ７へ締め込むと、ホルダ３と基部３０とが立上がり躯体２へ図７に示す通り強固に固定される。
【００２７】
ホルダ３と基部３０とが固定されたら、笠木４をホルダ３に設けた支持片２６の上を滑らせて、図７に示す矢印の方向へ移動させると、張出化粧部４ｂの先端に設けた嵌合部１８は、化粧裏板１４の先端に設けた溝型の嵌合縁１３に嵌合し、これと同時に、笠木４の係止片１２に支持される係合子２７は、斜面２８でホルダ３の係止片９を押し上げて段部２９に係止片９を係合させる。このため、この実施例でも笠木４は張出化粧部４ｂ側をホルダ３と段部２９とで立上がり躯体２に固定されて、主部４ａ側は笠木４の弾性変形によりホルダに支持される取り付けが容易に行われる。
【００２８】
【発明の効果】
請求項１に係る発明によれば、笠木の張出化粧部の裏側には化粧裏板が添設され、化粧裏板はホルダで立ち上がり躯体へ固定されるため、笠木は立ち上がり躯体に沿った強風の吹き上げにも充分に耐えて、吹き飛ばされることがなく、また、化粧裏板の添設による立体化で笠木の意匠的価値が高められて、取り付けを強固にしても施工が煩雑となることがない。さらに、挟持手段により化粧裏板を挟持させれば、笠木が化粧裏板により立上がり躯体へ固定されて、強風に煽られても笠木が吹き飛ばされることのない確実な取り付けが容易にできる。また、ホルダを利用して挟持手段を構成するため、立上がり躯体へホルダを取り付けておいて、挟持手段に化粧裏板の基部を挟持させるだけで、強風に耐える笠木の取り付けができる。
【００２９】
請求項２に係る発明によれば、化粧裏板の基部に、立上がり躯体の頂部上へ延びるホルダを連設し、このホルダで化粧裏板を立上がり躯体の頂部へ固定させるので、強風に耐える強固な取り付けができる。また、化粧裏板をホルダとは独立に立上がり躯体に固定するため、挟持手段が不要になり、構造と施工の一層の簡易化が可能となる。
【図面の簡単な説明】
【図１】  笠木装置の第１実施形態の取付後を示す断面図。
【図２】  同上の笠木の一部分を示す斜視図
【図３】  化粧裏板の一部分を示す斜視図。
【図４】  立上がり躯体へホルダを固定して、挟持手段を構成する状態の説明図。
【図５】  挟持手段で化粧裏板を挟持させた状態の説明図。
【図６】  化粧裏板を固定して笠木の取り付けを行う状態を示す説明図。
【図７】  笠木装置の第２実施例を示す断面図。
【図８】  同上に用いた笠木とその受部に支持させる係合子の一部分を示す斜視図。
【図９】  ホルダとホルダを連設した化粧裏板の一部分とを示す斜視図。
【符号の説明】
２  立上がり躯体
３  ホルダ
４  笠木
４ａ  笠木の主部
４ｂ  笠木の張出化粧部
９  係止片
１３  嵌合縁
１８  嵌合部
【図１】
0004067986.tif 000002
【図２】
0004067986.tif 000003
【図３】
0004067986.tif 000004
【図４】
0004067986.tif 000005
【図５】
0004067986.tif 000006
【図６】
0004067986.tif 000007
【図７】
0004067986.tif 000008
【図８】
0004067986.tif 000009
【図９】
0004067986.tif 000010